(57)【要約】【課題】動画ボケ等の表示不良を低減し、且つコストの低減及び装置の小型化を可能とする。【解決手段】人間の視覚は、ＲＧＢ３色の夫々の階調を変換してなるＹＵＶ色空間において、赤色の色差（Ｃｒ）及び青色の色差（Ｃｂ）に比べて輝度（Ｙ）に対してより敏感であることが知られている。したがって、輝度（Ｙ）に最も寄与する色要素である緑色に対応する映像信号ＧＤｉ（ｆｎ）のみについて、表示領域１０ａで表示されるべき階調数で緑色が表示されるように、階調数データにオーバードライブ処理を施すことによいって動画ボケ等の表示不良を低減できる。加えて、液晶装置１の回路構成を簡略化でき、コスト低減及び装置サイズの小型化が可能になる。【選択図】図４
2007333770.tif 000002
【特許請求の範囲】
【請求項１】
基板上の表示領域に設けられた複数の画素部を有する電気光学パネルと、
前記表示領域に表示されるべき画像を構成する一連のフレーム画像を表示するために前記電気光学パネルに供給される映像信号のうち特定色空間において最も輝度に寄与する色要素に対応する所定の映像信号について、前記所定の映像信号が指定する階調値が前記画素部において表示されるように、前記所定の映像信号にオーバードライブ処理を施す映像信号処理手段と
を備えたことを特徴とする電気光学装置。
【請求項２】
前記映像信号処理手段は、
前記所定の映像信号のうち前記一連のフレーム画像に含まれる第１フレーム画像に対応する第１映像信号が含む第１階調数データを記憶するフレームメモリと、
（ｉ）前記第１階調数データ、及び（ｉｉ）前記所定の映像信号のうち前記第１フレーム画像に続いて前記表示領域に表示される第２フレーム画像に対応する第２映像信号が含む第２階調数データの組み合わせ毎に、前記第２映像信号の代わりに出力される補正済み第２映像信号、又は前記第２階調数データに対する補正値が記憶されたルックアップテーブルと
を備えたことを特徴とする請求項１に記載の電気光学装置。
【請求項３】
基板上の表示領域を構成する複数の画素部を有する電気光学パネルと、
前記表示領域に表示されるべき画像を構成する一連のフレーム画像を表示するために前記電気光学パネルに供給される映像信号のうち特定色空間において最も輝度に寄与する所定の色要素に対応する所定の映像信号について、前記所定の映像信号が指定する階調値で前記所定の色要素が表示されるように、前記所定の色要素と異なる他の色要素に対応する他の映像信号に施されるオーバードライブ処理とは異なる条件でオーバードライブ処理を施す映像信号処理手段と
を備えたことを特徴とする電気光学装置。
【請求項４】
前記映像信号処理手段は、
前記所定の映像信号のうち前記一連のフレーム画像に含まれる第１フレーム画像に対応する第１映像信号が含む第１階調数データを記憶する第１フレームメモリと、
（ｉ）前記第１階調数データ、及び（ｉｉ）前記所定の映像信号のうち前記第１フレーム画像に続いて前記表示領域に表示される第２フレーム画像に対応する第２映像信号が含む第２階調数データの組み合わせ毎に、前記第２映像信号の代わりに出力される補正済み第２映像信号、又は前記第２階調数データに対する補正値が記憶された第１ルックアップテーブルと、
前記他の映像信号のうち前記第１フレーム画像に対応する第３映像信号が含む第３階調数データを記憶する第２フレームメモリと、
（ｉｉｉ）前記第３映像信号、及び（ｉｖ）前記他の映像信号のうち前記第２フレーム画像に対応する第４映像信号が含む第４階調数データの組み合わせ毎に、前記第４映像信号の代わりに出力される補正済み第４映像信号、又は前記第４階調数データに対する補正値が記憶された第２ルックアップテーブルと
を備えたことを特徴とする請求項３に記載の電気光学装置。
【請求項５】
前記第３階調数データのサイズは、前記第１階調数データのサイズより小さいこと
を特徴とする請求項４に記載の電気光学装置。
【請求項６】
前記第４階調数データのサイズは、前記第２階調数データのサイズより小さいこと
を特徴とする請求項４又は５に記載の電気光学装置。
【請求項７】
前記第２ルックアップテーブルのサイズは、前記第１ルックアップテーブルのサイズより小さいこと
を特徴とする請求項４から６の何れか一項に記載の電気光学装置。
【請求項８】
電気光学パネルの表示領域に表示されるべき画像を構成する一連のフレーム画像を表示するために前記電気光学パネルに供給される映像信号のうち特定色空間において最も輝度に寄与する色要素に対応する所定の映像信号について、前記所定の映像信号が指定する階調値で画素部に前記色要素が表示されるように前記所定の映像信号にオーバードライブ処理を施す映像信号処理手段と、
前記オーバードライブ処理を前記所定の映像信号に施すことによって生成された信号に基づいて、前記画素部を駆動する駆動回路と
を備えたことを特徴とする電気光学装置用駆動回路。
【請求項９】
電気光学パネルの表示領域に表示されるべき画像を構成する一連のフレーム画像を表示するために前記電気光学パネルに供給される映像信号のうち特定色空間において最も輝度に寄与する所定の色要素に対応する所定の映像信号について、前記所定の映像信号が指定する階調値で画素部に前記所定の色要素が表示されるように、前記所定の色要素と異なる他の色要素に対応する他の映像信号に施されるオーバードライブ処理とは異なる条件でオーバードライブ処理を施す映像信号処理手段と、
前記異なる条件で施されたオーバードライブ処理を前記所定の映像信号に施すことによって生成された信号に基づいて、前記画素部を駆動する駆動回路と
を備えたことを特徴とする電気光学装置用駆動回路。
【請求項１０】
電気光学パネルの表示領域に表示されるべき画像を構成する一連のフレーム画像を表示するために前記電気光学パネルに供給される映像信号のうち特定色空間において最も輝度に寄与する色要素に対応する所定の映像信号について、前記所定の映像信号が指定する階調値で画素部に前記色要素が表示されるように前記所定の映像信号にオーバードライブ処理を施す映像信号処理工程と、
前記オーバードライブ処理を前記所定の映像信号に施すことによって生成された信号に基づいて、前記画素部を駆動する駆動工程と
を備えたことを特徴とする電気光学装置の駆動方法。
【請求項１１】
電気光学パネルの表示領域に表示されるべき画像を構成する一連のフレーム画像を表示するために前記電気光学パネルに供給される映像信号のうち特定色空間において最も輝度に寄与する所定の色要素に対応する所定の映像信号について、前記所定の映像信号が指定する階調値で画素部に前記所定の色要素が表示されるように、前記所定の色要素と異なる他の色要素に対応する他の映像信号に施されるオーバードライブ処理とは異なる条件でオーバードライブ処理を施す映像信号処理工程と、
前記異なる条件で施されたオーバードライブ処理を前記所定の映像信号に施すことによって生成された信号に基づいて、前記画素部を駆動する駆動工程と
を備えたことを特徴とする電気光学装置の駆動方法。
【請求項１２】
請求項１から７の何れか一項に記載の電気光学装置を具備してなること
を特徴とする電子機器。
【発明の詳細な説明】
【技術分野】
【０００１】
本発明は、例えば、動画像を表示可能な液晶装置等の電気光学装置、このような電気光学装置に適用可能な電気光学装置用駆動回路、電気光学装置の駆動方法、並びにこのような電気光学装置を具備してなる液晶プロジェクタ等の電子機器の技術分野に関する。
【背景技術】
【０００２】
この種の電気光学装置の一例である液晶装置では、表示画面を構成する各画素を行ごとに順次選択し、各画素の電極を使用して液晶に電圧を印加し、液晶分子の配向状態を変化させて液晶を透過する光量を制御することにより画像表示が行なわれる。液晶装置では、液晶分子の配向状態によって透過光量を制御し表示している。動画像は、連続する一連のフレームを構成する夫々のフレームに対応するフレーム画像を表示画面に順次表示することによって表示される。
【０００３】
ここで、ある配向状態にある液晶分子が、新たに印加された電圧によってその配向状態を変化させ、新たに印加された電圧によって決まる別の配向状態になるまでには、液晶の特性に応じて各フレーム期間より長い時間を必要とする場合がある。したがって、高速で動く物体を表示する際には、動画像を表示する各フレーム期間内に液晶分子の配向状態が所望の状態に達せず、物体の残像が知覚されたり、物体の輪郭がボケて見えたりするといった問題点（所謂、動画ボケ）が生じていた。このような問題点を解消する手段の一例として、液晶の配向状態を所望の状態に規制するために液晶に印加される電圧より大きい電圧を当該液晶に印加することによって、１フレーム期間内に所望の配向状態に液晶の配向状態を規制する技術（所謂、オーバードライブ技術）が知られている。
【０００４】
また、特許文献１によれば、このようなオーバードライブ技術によって液晶の配向状態を規制する際に、映像信号に基づいて実際に液晶に印加される電圧を決定するために参照されるデータテーブルのメモリを削減する技術を開示している。特許文献２は、画像の色再現性を高めることを目的として、表示される画像の色補正を行うために参照されるルックアップテーブルと、オーバードライブを実行するために参照されるルックアップテーブルとが統合されたカラー表示可能な液晶表示装置を開示している。
【０００５】
また、色空間管理方法の一つであり、テレビジョン等の表示装置における画像の色空間管理方法として一般的に用いられているＹＵＶフォーマットでは、輝度（Ｙ）、青色の色差（通常、Ｕ或いはＣｂで表示する。）及び赤色の色差（通常、Ｖ或いはＣｒで表示する。）によって規定される色空間フォーマットに基づいてカラー画像が表示されている。このようなＹＵＶフォーマットを用いる表示装置では、人間の視覚は輝度の変化に比べて色差の変化に鈍感であることを利用して、青色の色差及び赤色の色差に比べて、輝度に帯域やデータのビット数を割り当てることによって、効率のよいデータ伝送、或いはデータの圧縮を実現している。
【０００６】
【特許文献１】特開２００３−２９５８３８号公報
【特許文献２】特開２００４−４５７０２号公報
【発明の開示】
【発明が解決しようとする課題】
【０００７】
この種の電気光学装置では、人間の視覚は輝度の変化に比べて色度の変化に鈍感であることに基づいて、物体の残像、或いは輪郭ボケ等による動画ボケの度合いは、人間の視覚で感じる光の波長、即ち色の種類によって夫々異なると本願発明者等は考えている。
【０００８】
しかしながら、特許文献１に開示された技術では、１フレーム期間内で所望の配向状態に液晶の配向状態が規制されなかった場合に、実際に人間の視覚によって認識される物体の残像、或いは輪郭ボケ等の表示不良の度合いを色毎に区別してルックアップテーブルが設計されていない。したがって、特許文献１によれば、実際に人間の視覚によって感知される動画ボケが低減されるようにルックアップテーブル等のメモリが効果的に低減されているとは言い難い。また、ルックアップテーブル等のメモリを含む駆動回路における回路構成を簡略化することによるコスト低減、及び電気光学装置の小型化への要請もある。このように、動画ボケを低減することによる表示性能の向上、並びに電気光学装置のコスト低減及び小型化が同時に実現できる技術への要請が高まってきている。
【０００９】
よって、本発明は上記問題点等に鑑みてなされたものであり、例えば、動画ボケの低減、並びにコスト低減及び装置の小型化が可能となる液晶装置等の電気光学装置、このような電気光学装置に適用可能な電気光学装置用駆動回路、電気光学装置の駆動方法、並びにこのような電気光学装置を具備してなる液晶プロジェクタ等の電子機器を提供することを課題とする。
【課題を解決するための手段】
【００１０】
本発明の第１の発明に係る電気光学装置は上記課題を解決するために、基板上の表示領域に設けられた複数の画素部を有する電気光学パネルと、前記表示領域に表示されるべき画像を構成する一連のフレーム画像を表示するために前記電気光学パネルに供給される映像信号のうち特定色空間において最も輝度に寄与する色要素に対応する所定の映像信号について、前記所定の映像信号が指定する階調値が前記画素部において表示されるように、前記所定の映像信号にオーバードライブ処理を施す映像信号処理手段とを備える。
【００１１】
本発明の第１の発明に係る電気光学装置によれば、例えば、画素部が有する画素電極にデータ線から画像信号が供給され、所謂アクティブマトリクス方式によって液晶等の電気光学物質の配向制御が行われる。これにより、例えばＴＦＴアレイ基板上の表示領域においてフレーム毎に液晶に印加される電圧が制御されることによって液晶の配向制御が行われ、一連のフレーム画像が表示され、このような一連のフレーム画像によって表示領域に動画が表示される。
【００１２】
本発明の第１の発明に係る電気光学装置では、「映像信号」は、画像信号及び同期信号を含む広い意味での映像信号ではなく、例えば各画素部において各色要素の階調値データを含む画像信号に相当する信号を意味する。このような映像信号は、デジタル化されたカラーの映像信号であり、例えば表示領域に表示されるフレーム画像に含まれるＲ（赤）、Ｇ（緑）及びＢ（青）の色要素の夫々に対応して信号源から電気光学パネルに供給される。加えて、映像信号は、所定階調値に対応とされており、例えばＲＧＢ別に２５６階調（即ち２５６輝度階調）の表示が可能とされている。このようなＲＧＢ別の階調表示の組合せにより、カラー画像として、例えばＲＧＢの三つの画素からなる絵素の夫々において、２５６×２５６×２５６（＝１６７７７２１６）色を表示できることになる。
【００１３】
尚、本願明細書では、表示領域において、例えばＲＧＢが任意の比率で混ざってなるカラーを表現可能な最小単位を「絵素」と適宜称し、Ｒのみ、Ｇのみ又はＢのみのカラーを表現可能な最小単位を「画素」と適宜称することにする。例えば、カラーの映像信号の夫々に対応する「絵素」は、典型的には、ＲＧＢの三つの隣接画素から構成される。但し、複板式のカラープロジェクタのように複数の電気光学装置から出射される表示光を光学的に合成して、Ｒ光、Ｇ光及びＢ光を同一領域に重ねて表示する液晶ライトバルブ等の電気光学装置の場合には、表示領域における一つの「絵素」としての領域は、一つの「画素部」が形成された領域、即ち一つの「画素」としての領域に一致する。
【００１４】
本発明の第１の発明に係る電気光学装置では、画像信号処理手段は、表示領域に表示されるべき画像を構成する一連のフレーム画像を表示するために電気光学パネルに供給される映像信号のうち特定色空間において最も輝度に寄与する所定の色要素に対応する所定の映像信号について、所定の映像信号が指定する階調値で画素部に所定の色要素が表示されるように所定の映像信号にオーバードライブ処理を施す。
【００１５】
ここで、「特定色空間」とは、例えばＹＵＶフォーマットで規定される色空間（以下、ＹＵＶ色空間と称す。）であり、「輝度」とは、ＹＵＶフォーマットで規定される輝度（即ち、Ｙ）を意味する。このようなＹＵＶフォーマットで規定される色空間では、最も輝度に寄与する所定の色要素は、ＲＧＢフォーマットで色空間を規定した場合における緑色である。ＹＵＶ色空間では、人間の視覚は輝度（Ｙ）の変化に比べて青色及び赤色の色度の変化に鈍感であるため、輝度（Ｙ）に最も寄与する色要素である緑色に対応する映像信号にオーバードライブ処理を施すことによって、当該緑色に対応する映像信号が指定する階調値で緑色が表示され、動画ボケ等の表示不良を低減でき、液晶装置等の電気光学装置によって表示される画像の画質を高めることが可能である。また、赤色及び青色の夫々についてオーバードライブ処理を施すための回路が不要であるため、電気光学装置の回路構成を簡便にでき、電気光学装置に要するコストの低減が可能となる。加えて、赤色及び青色等の色要素に対応する映像信号にオーバードライブ処理を行う回路を設けるためのスペースを低減できるため、電気光学装置を小型化できる。
【００１６】
したがって、本発明の第１の発明に係る電気光学装置によれば、電気光学装置に搭載される回路の構成を簡便にできることによって、電気光学装置に要するコストの低減及び装置サイズの小型化が可能となると共に、動画の画質を高めることができる。
【００１７】
本発明の第１の発明に係る電気光学装置の一の態様では、前記映像信号処理手段は、前記所定の映像信号のうち前記一連のフレーム画像に含まれる第１フレーム画像に対応する第１映像信号が含む第１階調数データを記憶するフレームメモリと、（ｉ）前記第１階調数データ、及び（ｉｉ）前記所定の映像信号のうち前記第１フレーム画像に続いて前記表示領域に表示される第２フレーム画像に対応する第２映像信号が含む第２階調数データの組み合わせ毎に、前記第２映像信号の代わりに出力される補正済み第２映像信号、又は前記第２階調数データに対する補正値が記憶されたルックアップテーブルとを備えていてもよい。
【００１８】
この態様によれば、フレームメモリは、第２フレーム画像が電気光学パネルに供給される前に、第２フレーム画像に先んじて表示領域に表示される第１フレーム画像に対応する第１映像信号が含む第１階調数データを記憶する。ここで、第１映像信号は、所定の映像信号のうち第１フレーム画像を表示するために供給された映像信号であり、例えば第１フレーム画像に含まれる緑色に対応する映像信号である。また、第２映像信号は、例えば第２フレーム画像に含まれる緑色に対応する映像信号である。
【００１９】
ルックアップテーブルは、第２映像信号の代わりに出力される補正済み第２映像信号、又は第２階調数データに対する補正値が記憶されたメモリである。
【００２０】
このような補正済み第２映像信号、又は補正値は、（ｉ）第１階調数データ、及び（ｉｉ）所定の映像信号のうち第１フレーム画像に続いて表示領域に表示される第２フレーム画像に対応する第２映像信号が含む第２階調数データの組み合わせ毎に設定され、ルックアップテーブルに記憶されている。より具体的には、ルックアップテーブルは、例えば所定の映像信号が２５６階調の階調数データを含む場合、第１映像信号及び第２映像信号の夫々の階調数の積（２５６×２５６＝６５５３６通り）で規定される個数の補正済み第２映像信号、又は補正値を記憶している。映像信号処理手段は、例えば制御部の制御下で、ルックアップテーブルを参照することによって、第１階調数データ及び第２階調数データの組み合わせ毎に設定されている補正済み第２映像信号を電気光学パネルに出力する。或いは、映像信号処理手段は、第２映像信号に対する補正値に基づいて第２映像信号を補正することによって緑色等の最も輝度に寄与する所定の色要素を表示するために電気光学パネルに供給される信号を生成する。
【００２１】
したがって、この態様によれば、最も輝度に寄与する色要素について施される、階調値を補正するオーバードライブ処理によって、第２フレーム画像が表示される際に液晶等の電気光学物質の配向状態が所望の配向状態に制御され、配向不良に基づいて発生する動画ボケ等の表示不良を低減できる。
【００２２】
本発明の第２の発明に係る電気光学装置は上記課題を解決するために、基板上の表示領域を構成する複数の画素部を有する電気光学パネルと、前記表示領域に表示されるべき画像を構成する一連のフレーム画像を表示するために前記電気光学パネルに供給される映像信号のうち特定色空間において最も輝度に寄与する所定の色要素に対応する所定の映像信号について、前記所定の映像信号が指定する階調値で前記所定の色要素が表示されるように、前記所定の色要素と異なる他の色要素に対応する他の映像信号に施されるオーバードライブ処理とは異なる条件でオーバードライブ処理を施す映像信号処理手段とを備える。
【００２３】
本発明の第２の発明に係る電気光学装置によれば、特定色空間において最も輝度に寄与する所定の色要素に対応する所定の映像信号について、所定の映像信号が指定する階調値で所定の色要素が表示されるように、所定の色要素と異なる他の色要素に対応する他の映像信号に施されるオーバードライブ処理とは異なる条件でオーバードライブ処理を施すことによって、例えば動画ボケ等の表示不良に最も寄与する緑色等の色要素を第２フレーム画像で本来表示されるべき階調値で表示でき、複数の色要素の夫々に対応する映像信号について同一のオーバードライブ処理を施す場合に比べて、動画ボケ等の表示不良を低減できる。ここで、「異なる条件」とは、例えば、所定の映像信号に施すオーバードライブ処理を他の映像信号に施すオーバードライブ処理に比べて相対的に大きい階調値となるように細かい階調値の間隔で施す場合が挙げられる。このように、所定の映像信号にオーバードライブ処理を施すことによって、所定の色要素に対応して配向制御が行われる液晶等の電気光学物質の配向状態を他の色要素に比べて正確に本来表示すべき階調となるように制御可能となる。尚、このような条件は、他の映像信号に比べて表示領域で表示されるべき階調値で所定の色要素が表示されるように施される条件に関する限りオーバードライブ処理に関する特定の処理条件に限定されるものではない。
【００２４】
本発明の第２の発明に係る電気光学装置の一の態様では、前記映像信号処理手段は、前記所定の映像信号のうち前記一連のフレーム画像に含まれる第１フレーム画像に対応する第１映像信号が含む第１階調数データを記憶する第１フレームメモリと、（ｉ）前記第１階調数データ、及び（ｉｉ）前記所定の映像信号のうち前記第１フレーム画像に続いて前記表示領域に表示される第２フレーム画像に対応する第２映像信号が含む第２階調数データの組み合わせ毎に、前記第２映像信号の代わりに出力される補正済み第２映像信号、又は前記第２階調数データに対する補正値が記憶された第１ルックアップテーブルと、
前記他の映像信号のうち前記第１フレーム画像に対応する第３映像信号が含む第３階調数データを記憶する第２フレームメモリと、（ｉｉｉ）前記第３映像信号、及び（ｉｖ）前記他の映像信号のうち前記第２フレーム画像に対応する第４映像信号が含む第４階調数データの組み合わせ毎に、前記第４映像信号の代わりに出力される補正済み第４映像信号、又は前記第４階調数データに対する補正値が記憶された第２ルックアップテーブルとを備えていてもよい。
【００２５】
この態様によれば、第１フレームメモリ及び第２フレームメモリを別個に設け、且つ第１ルックアップテーブル及び第２ルックアップテーブルを別個に設けることによって、所定の映像信号及び他の映像信号について互いに異なる条件で夫々オーバードライブ処理を施すことが可能である。この態様によれば、所定の映像信号及び他の映像信号に夫々について、動画全体で動画ボケが低減されるように、所定の映像信号に含まれる第２映像信号の階調値を、第４映像信号の階調値より細かい階調間隔で補正でき、動画ボケ等の表示不良を効果的に低減できる。加えて、第４映像信号についても補正が可能であるため、最も輝度に寄与する色要素について動画ボケを低減することに加えて、他の色要素についても動画ボケを低減できる。
【００２６】
この態様では、前記第３階調数データのサイズは、前記第１階調数データのサイズより小さくてもよい。
【００２７】
この態様によれば、第３階調数データのサイズに応じて第２フレームメモリのサイズを第１フレームメモリのサイズに比べて小さくすることによって、例えば、所定の映像信号及び他の映像信号の夫々が、互いに同じ階調数で電気光学パネルに供給された場合、第１フレームは、各フレーム画像について所定の映像信号が８ビットでデジタル化された階調数をそのまま記憶し、第２フレームメモリは、他の映像信号が８ビットでデジタル化された階調数を４ビット或いは６ビットに落として記憶する。したがって、映像信号処理手段を構成するフレームメモリ等の回路構成を簡便にでき、電気光学装置に要するコストを低減できる。回路構成が簡便になる分、映像信号処理手段を構成する回路を小型化できるため、電気光学装置を小型化できる。
【００２８】
本発明の第２の発明に係る電気光学装置の他の態様では、前記第４映像信号が含む階調数データのサイズは、前記第２映像信号が含む階調数データのサイズより小さくてもよい。
【００２９】
この態様によれば、第２及び第４階調数データに応じて、第２ルックアップテーブルの容量を第１ルックアップテーブルより小さくできるため、これらルックアップテーブルに要するコストを低減できる。また、電気光学装置のコストを低減できると共に、回路構成が簡便になる分、電気光学装置を小型化できる。
【００３０】
本発明の第２の発明に係る電気光学装置の他の態様では、前記第２ルックアップテーブルのサイズは、前記第１ルックアップテーブルのサイズより小さくてもよい。
【００３１】
この態様によれば、これらルックアップテーブルのサイズに応じて電気光学装置に要するコストの低減、及び電気光学装置の小型化が可能となる。
【００３２】
本発明の第３の発明に係る電気光学装置用駆動回路は上記課題を解決するために、電気光学パネルの表示領域に表示されるべき画像を構成する一連のフレーム画像を表示するために前記電気光学パネルに供給される映像信号のうち特定色空間において最も輝度に寄与する色要素に対応する所定の映像信号について、前記所定の映像信号が指定する階調値で画素部に前記色要素が表示されるように前記所定の映像信号にオーバードライブ処理を施す映像信号処理手段と、前記オーバードライブ処理を前記所定の映像信号に施すことによって生成された信号に基づいて、前記画素部を駆動する駆動回路とを備える。
【００３３】
本発明の第３の発明に係る電気光学装置用駆動回路によれば、上述した本発明の第１の発明に係る電気光学装置と同様に、電気光学装置に搭載される回路の構成を簡便にできることによって、電気光学装置に要するコストの低減及び装置サイズの小型化が可能となると共に、動画像の画質を高めることができる。
【００３４】
本発明の第４の発明に係る電気光学装置用駆動回路は上記課題を解決するために、電気光学パネルの表示領域に表示されるべき画像を構成する一連のフレーム画像を表示するために前記電気光学パネルに供給される映像信号のうち特定色空間において最も輝度に寄与する所定の色要素に対応する所定の映像信号について、前記所定の映像信号が指定する階調値で画素部に前記所定の色要素が表示されるように、前記所定の色要素と異なる他の色要素に対応する他の映像信号に施されるオーバードライブ処理とは異なる条件でオーバードライブ処理を施す映像信号処理手段と、前記異なる条件で施されたオーバードライブ処理を前記所定の映像信号に施すことによって生成された信号に基づいて、前記画素部を駆動する駆動回路とを備える。
【００３５】
本発明の第４の発明に係る電気光学装置用駆動回路によれば、上述した本発明の第２の発明に係る電気光学装置と同様に、電気光学装置に搭載される回路の構成を簡便にできることによって、電気光学装置に要するコストの低減及び装置サイズの小型化が可能となると共に、動画像の画質を高めることができる。
【００３６】
本発明の第５の発明に係る電気光学装置の駆動方法は上記課題を解決するために、電気光学パネルの表示領域に表示されるべき画像を構成する一連のフレーム画像を表示するために前記電気光学パネルに供給される映像信号のうち特定色空間において最も輝度に寄与する色要素に対応する所定の映像信号について、前記所定の映像信号が指定する階調値で画素部に前記色要素が表示されるように前記所定の映像信号にオーバードライブ処理を施す映像信号処理工程と、前記オーバードライブ処理を前記所定の映像信号に施すことによって生成された信号に基づいて、前記画素部を駆動する駆動工程とを備える。
【００３７】
本発明の第５の発明に係る電気光学装置の駆動方法によれば、上述した本発明の第１の発明に係る電気光学装置と同様に、電気光学装置に搭載される回路の構成を簡便にでき、電気光学装置に要するコストの低減及び装置サイズの小型化が可能となると共に、動画の画質を高めることができる。
【００３８】
本発明の第６の発明に係る電気光学装置の駆動方法は上記課題を解決するために、電気光学パネルの表示領域に表示されるべき画像を構成する一連のフレーム画像を表示するために前記電気光学パネルに供給される映像信号のうち特定色空間において最も輝度に寄与する所定の色要素に対応する所定の映像信号について、前記所定の映像信号が指定する階調値で画素部に前記所定の色要素が表示されるように、前記所定の色要素と異なる他の色要素に対応する他の映像信号に施されるオーバードライブ処理とは異なる条件でオーバードライブ処理を施す映像信号処理工程と、前記異なる条件で施されたオーバードライブ処理を前記所定の映像信号に施すことによって生成された信号に基づいて、前記画素部を駆動する駆動工程とを備える。
【００３９】
本発明の第６の発明に係る電気光学装置の駆動方法によれば、上述した本発明の第２の発明に係る電気光学装置と同様に、電気光学装置に搭載される回路の構成を簡便にでき、電気光学装置に要するコストの低減及び装置サイズの小型化が可能となると共に、動画の画質を高めることができる。
【００４０】
本発明に係る電子機器は上記課題を解決するために、上述した本発明の電気光学装置を備えている。
【００４１】
本発明に係る電子機器によれば、上述した本発明に係る電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００４２】
本発明のこのような作用及び他の利得は次に説明する実施形態から明らかにされる。
【発明を実施するための最良の形態】
【００４３】
以下図面を参照しながら、本発明に係る電気光学装置、電気光学装置用駆動回路、電気光学装置の駆動回路、及び電子機器の各実施形態を説明する。
【００４４】
＜第１実施形態＞
（電気光学装置の駆動方法における考え方）
先ず、図１及び図２を参照しながら、本発明の第１及び第２の発明に係る電気光学装置に採用される、本発明に係る第５及び第６の発明に係る電気光学装置の駆動方法の実施形態における基本的な原理を説明する。尚、以下で説明する各実施形態では、本発明の第１及び第２の発明に係る電気光学装置の一例として液晶装置を挙げる。図１は、従来の液晶装置における画素の透過率及び液晶に印加される印加電圧の関係を示した概念図である。図２は、本実施形態に係る液晶装置における画素の透過率及び液晶に印加される印加電圧の関係を示した概念図である。尚、図１及び図２では、説明を簡便にするために第Ｎフレーム以降の各フレームにおける画素の透過率が第Ｎフレームにおける透過率と同じ透過率に設定されている場合を例に挙げる。
【００４５】
図１において、第（Ｎ−１）フレームにおいて光の透過率が、透過率Ｔｎ−１であった画素について、第Ｎフレームにおいて透過率Ｔｎに透過率を切り換える場合、第（Ｎ−１）フレームにおいて液晶に印加されていた印加電圧Ｖｎ−１を印加電圧Ｖｎに切り換える。ここで、印加電圧Ｖｎは、第Ｎフレームにおいて液晶を所定の配向状態に規制するために実験的、理論的、或いはシミュレーション等によって求められた理想的な印加電圧である。
【００４６】
しかしながら、印加電圧Ｖｎ−１及びＶｎ、並びに液晶の配向特性に応じて、実際には、第Ｎフレームのフレーム期間内に画素における光の透過率を印加電圧Ｖｎに応じた理想的な透過率Ｔｎに切り換えることは困難であり、第Ｎフレームのフレーム期間内に実現される透過率は透過率Ｔ´ｎであり、第Ｎフレームのフレーム期間を超えて、例えば画素の透過率は、第（Ｎ＋１）フレーム或いは第（Ｎ＋２）フレームになって初めて印加電圧Ｖｎで実現されるべき透過率Ｔｎとなる。このように、実際に液晶の配向を制御して画像を表示する際には、液晶の配向に遅延が生じてしまい、画素の表示品質を低下させてしまう。特に、高速で移動する移動物体像等を表示する動画では、液晶の配向状態の変化が遅延することによって動画ボケ等の表示不良が顕著に生じてしまう問題がある。
【００４７】
そこで、図２に示すように、画素における透過率Ｔｎを実現するために求められた印加電圧Ｖｎに代わって、印加電圧Ｖｎより大きい印加電圧Ｖ´ｎを第Ｎフレームにおいて液晶に印加することによって、液晶の配向変化に生じる遅延を低減し、第Ｎフレームのフレーム期間内で画素の透過率を、第Ｎフレームで実現されるべき透過率Ｔｎに切り換える。このように、印加電圧Ｖｎより大きい印加電圧Ｖ´ｎを液晶に印加することによって、所定のフレーム期間内に狙いの透過率、即ち理想的な透過率を実現する技術を通常“オーバードライブ技術”と称している。本明細書における「オーバードライブ処理」とは、上述した通常の意味での“オーバードライブ技術”に加えて、印加電圧Ｖｎを印加電圧Ｖ´ｎに変更するために、これら印加電圧を印加する際の元となる映像信号が含む階調値のデータを変更する処理を含む意味である。加えて、本実施形態に係る電気光学装置に採用される電気光学装置の駆動方法は、後に詳細に説明するように、オーバードライブ処理を施す対象となる映像信号のうち、特定の色のみについてオーバードライブ処理を施す、或いは他の色に比べて当該特定の色に関する階調値をより高い精度で制御するオーバードライブ処理を施す点に特徴がある。
【００４８】
（電気光学装置の電気回路構成）
次に、本発明の第１の発明に係る電気光学装置の実施形態を説明する。図３は、本実施形態に係る液晶装置の基本的な電気回路構成を示したブロック図である。尚、本実施形態に係る電気光学装置の基本的な電気回路構成には、本発明の第３の発明に係る電気光学装置の駆動回路の一例が採用されている。
【００４９】
図３において、液晶装置１は、本発明の第１の発明に係る「電気光学パネル」の一例である表示パネル部１００ｐ、信号処理部２０、フレームメモリ３０、ルックアップテーブル４０、Ｄ／Ａコンバータ５０、データ線駆動回路１０１、走査線駆動回路１０４、及び映像信号供給部１８０を備えて構成されている。信号処理部２０、フレームメモリ３０及びルックアップテーブル４０が、本発明の第１及び第３の発明に係る「映像信号処理手段」の一例を構成しており、データ線駆動回路１０１及び走査線駆動回路１０４が、本発明の第３の発明に係る「駆動手段」の一例を構成している。
【００５０】
表示パネル部１００ｐは、データ線駆動回路１０１に電気的に接続された複数のデータ線６ａ及び走査線駆動回路１０４に電気的に接続された複数の走査線３ａを有しており、カラー画像を表示可能である。これらデータ線６ａ及び走査線３ａは、表示パネル部１００ｐの表示領域１０ａにおいて図中縦横に沿って相互に交差している。複数の画素部１０ｐの夫々は、走査線３ａ及びデータ線６ａの交差に対応してマトリクス状に表示領域１０ａに配置されている。画素部１０ｐは、表示領域１０ａを構成する各画素或いは各画素領域に一つずつ設けられている。尚、液晶装置１をＲＧＢ３板式プロジェクタに適用する場合、液晶装置１は、Ｒ用、Ｇ用、Ｂ用のライトバルブとして用いられる液晶パネルの３枚を含んでなるパネルモジュールとして構成され、これらライトバルブの夫々にＲ用、Ｇ用及びＢ用の夫々の映像信号が供給される。
【００５１】
複数の画素部１０ｐの夫々は、後述するＤ／Ａコンバータ５０を介して信号処理部２０から供給される映像信号に応じた電圧を、不図示の画素電極及び対応電極間に介在する液晶に印加する。即ち、信号処理部２０から供給される映像信号に含まれる階調数データに応じて、画素部１０ｐに対応した画素における階調値、即ち光の透過率は変化する。表示領域１０ａを構成する画素部１０ｐが設けられた画素の夫々で映像信号に応じて透過率が変化することによって、表示パネル部１００は、所望の画像を表示できる。
【００５２】
映像信号供給部１８０は、信号処理部２０に水平同期信号ＨＳＹＮＣ、垂直同期信号ＶＳＹＮＣ、ドットクロックＤＯＴＣＬＫ、映像信号Ｄ及びカレントデータ（Current Data）を供給する。
【００５３】
信号処理部２０は、タイミング制御回路（不図示）を含む制御部を含んでおり、最小単位のクロックであり各画素を走査するためのドットクロックに基づいて、Ｙクロック信号ＣＬＹ、反転Ｙクロック信号ＣＬＹｉｎｖ、Ｘクロック信号ＣＬＸ、反転Ｘクロック信号ＣＬＸｉｎｖ、ＹスタートパルスＤＹ及びＸスタートパルスＤＸ、並びに複数系列のイネーブル信号ＥＮＢ１及びＥＮＢ２を生成する。信号処理部２０は、Ｙクロック信号ＣＬＹ、反転Ｙクロック信号ＣＬＹｉｎｖ、ＹスタートパルスＤＹ、並びにイネーブル信号ＥＮＢ１及びＥＮＢ２を走査線駆動回路１０４に供給し、Ｘクロック信号ＣＬＸ、反転Ｘクロック信号ＣＬＸｉｎｖ、及びＸスタートパルスＤＸをデータ線駆動回路１０１に供給する。信号処理部２０は、後述するように信号処理部２０に含まれる各種回路部によって映像信号Ｄから生成される、オーバードライブ処理が施された映像信号Ｄ´をＤ／Ａコンバータ５０に供給する。Ｄ／Ａコンバータ５０は、デジタル信号である映像信号Ｄ´をアナログ信号である映像信号Ｄｖに変換し、当該アナログ化された映像信号Ｄｖをデータ線駆動回路１０１に供給する。
【００５４】
データ線駆動回路１０１は、ＲＧＢ別に映像信号Ｄｖを受け、これを外部供給されるクロック信号及び水平同期信号ＨＳＹＮＣに応じたタイミングでデータ線６ａに送り出す。
【００５５】
走査線駆動回路１０４は、ドットクロックＤＯＴＣＬＫ及び垂直同期信号ＶＳＹＮＣに応じたタイミングで、走査信号ＳｃＬｎ１を走査線３ａに送り出す。走査信号ＳｃＬｎｃ１によって、ある１本の走査線３ａに電気的に接続された画素部１０ｐに映像信号Ｄｖが供給可能となる。
【００５６】
次に、図４乃至図６を参照しながら、液晶装置１の回路構成を詳細に説明する。図４は、信号処理部２０の詳細な構成な回路構成をフレームメモリ、ルックアップテーブル及びＤ／Ａコンバータ５０と共に示したブロック図であり、図５は、ルックアップテーブルに記憶された階調数データを示した一覧表である。図６は、図４の比較例におけるブロック図である。尚、図４乃至図６では、表示領域１０ａに表示されるカラーの動画像を構成する一連のフレーム画像のうち第（Ｎ―１）フレーム画像及び第Ｎフレーム画像を表示する際に信号処理部２０等が施す各種信号処理を主に説明する。
【００５７】
オーバードライブ処理は、表示パネル部１００ｐに含まれる画素部１０ｐのうち緑色を表示する画素部の夫々について施される。したがって、映像信号ＧＤｉ（ｆｎ）及びＧＤｉ（ｆｎ−１）等の緑色に対応する映像信号が、本発明の第１及び第３の発明に係る「所定の映像信号」の一例である。各映像信号に付される符号に含まれる添字ｉは、３色を表示する３つの画素部１０ｐを一組とする複数の絵素のうち任意の絵素を示しており、（）内のｆｎは、映像信号が第ｎフレームに表示されるべき第Ｎフレーム画像に対応した映像信号であることを示している。尚、説明を簡便にするために、任意の画素部（即ち、添字ｉで特定される画素部）に対応する映像信号ＧＤｉ（ｆｎ）に施されるオーバードライブ処理について詳細に説明する。
【００５８】
図４において、映像信号ＧＤｉ（ｆｎ）は、表示領域１０ａを構成する画素部１０ｐのうち緑色を表示する画素部１０ｐに関するデータ（即ち、階調数データ）を含んでいる。より具体的には、映像信号ＧＤｉ（ｆｎ）は、８ビットのデジタル信号であり、画素部において２５６階調の表示が可能となる階調数データを含んでいる。同様に、映像信号ＲＤｉ（ｆｎ）は、表示領域１０ａを構成する画素部１００ｐのうち赤色を表示する画素部１００ｐに関するデータを含んでおり、ＢＤｉ（ｆｎ）は、表示領域１０ａを構成する画素部１０ｐのうち青色を表示する画素部１０ｐに関するデータを含んでいる。これら映像信号ＲＤｉ（ｆｎ）及びＢＤｉ（ｆｎ）の夫々は、映像信号ＧＤｉ（ｆｎ）と同様に８ビットのデジタル信号である。表示パネル部１００ｐは、ＲＧＢ別の階調表示の組合せにより、カラー画像として、例えばＲＧＢの３つの画素からなる絵素の夫々において、２５６×２５６×２５６（＝１６７７７２１６）色を表示できる。
【００５９】
ここで、ＹＵＶ色空間における輝度（Ｙ）、赤色の色差（Ｃｒ）及び青色の色差（Ｃｂ）は、式（１）乃至式（３）で定義される。
【００６０】
【数１】
2007333770.tif 000003
【００６１】
【数２】
2007333770.tif 000004
【００６２】
【数３】
2007333770.tif 000005
【００６３】
人間の視覚は、ＲＧＢ３色の夫々の階調を変換してなるＹＵＶ色空間において、赤色の色差（Ｃｒ）及び青色の色差（Ｃｂ）に比べて輝度（Ｙ）に対してより敏感であることが知られている。したがって、式（１）のうち輝度（Ｙ）に最も寄与する色要素である緑色即ち、式（１）において、係数がＲ及びＢの夫々の項に比べて大きいＧについてのみオーバードライブ処理を施すことによって、動画ボケ等の表示不良を大幅に低減できると考えられる。より具体的には、映像信号ＧＤｉ（ｆｎ）について、映像信号ＧＤｉ（ｆｎ）が指定する階調値で表示領域１０ａに緑色が表示されるように、階調値にオーバードライブ処理を施せばよいと考えられる。
【００６４】
このように、階調値にオーバードライブ処理を施すことによって、液晶等の電気光学物質の配向角度が各フレームにおける狙いの配向角度、即ち当該フレーム期間内で液晶がとるべき配向状態に即座に切り換えられることになり、緑色を表示する画素では当該フレーム期間内において狙いの透過率が実現される。液晶装置１によれば、後に詳細に説明するように、各フレーム期間内で画素における光の透過率（より具体的には緑色光を透過させる画素の透過率）を狙いの透過率に切り換えることが可能であるため、一連のフレーム画像から構成される動画に生じる動画ボケ等の表示不良が低減され、高品位の動画像を表示可能である。
【００６５】
次に、液晶装置１の各回路部の動作を説明しながら、映像信号ＧＤｉ（ｆｎ）に施されるオーバードライブ処理を詳細に説明する。
【００６６】
図４において、信号処理部２０は、ラインバッファ（図中、ＬＢで表記。）３１Ｇを備えている。信号処理部２０は、映像信号供給部１８０から供給された映像信号Ｄに含まれる映像信号ＲＤｉ（ｆｎ）、ＧＤｉ（ｆｎ）及びＢＤｉ（ｆｎ）のうち映像信号ＲＤｉ（ｆｎ）及びＢＤｉ（ｆｎ）をそのままＤ／Ａコンバータ５０Ｒ及び５０Ｂに送り出す。ラインバッファ３１Ｇは、映像信号供給部１８０から供給された映像信号ＧＤｉ（ｆｎ）をフレームメモリ３０Ｇに供給すると共にルックアップテーブル４０Ｇに供給する。
【００６７】
フレームメモリ３０Ｇは、表示パネル部１００ｐが有する全ての絵素について、本発明の第１の発明に係る「第１映像信号」の一例である映像信号ＧＤｉ（ｆｎ−１）を記憶している。より具体的には、フレームメモリ３０Ｇは、第（Ｎ−１）フレームで表示されたフレーム画像について、緑色を表示する画素部１０ｐの夫々に対応する、本発明の第１の発明に係る「第２映像信号」の一例である映像信号ＧＤｉ（ｆｎ−１）を記憶している。したがって、フレームメモリ３０Ｇは、映像信号ＧＤｉ（ｆｎ）の階調数に対応する８ビットに、緑色を表示する画素部１０ｐの画素数を乗算して得られるサイズのデータを記憶している。
【００６８】
フレームメモリ３０Ｇは、ラインバッファ３１Ｇから映像信号ＧＤｉ（ｆｎ）が供給されると、フレームメモリ３０Ｇに記憶されていた映像信号ＧＤｉ（ｆｎ−１）をルックアップテーブル４０Ｇに送り出すと共に、映像信号ＧＤｉ（ｆｎ−１）の代わりに映像信号ＧＤｉ（ｆｎ）を記憶する。
【００６９】
ルックアップテーブル４０Ｇは、制御部６０の制御下で映像信号ＧＤｉ（ｆｎ）及びＧＤｉ（ｆｎ−１）の夫々が有する階調数データに基づいて、映像信号ＧＤｉ（ｆｎ）の代わりに第ｎフレームで出力すべき映像信号ＧＤ´ｉ（ｆｎ）をＤ／Ａコンバータ５０に出力する。
【００７０】
ここで、図５を参照しながらルックアップテーブル４０Ｇに記憶されるデータの構成を説明する。
【００７１】
図５において、ルックアップテーブル４０Ｇは、映像信号ＧＤｉ（ｆｎ）に含まれる階調数データで示される階調数を行番号とし、映像信号ＧＤｉ（ｆｎ−１）に含まれる階調数データで示される階調数を列番号とし、行及び列の夫々によって特定される行列要素ｄ（ｋ，ｌ）が記憶されている。ここで、ｋ及びｌは、０以上Ｍ−１以下の整数である。尚、ここでは、映像信号ＧＤｉ（ｆｎ）及びＧＤｉ（ｆｎ−１）の夫々が有する階調数データは、本発明の第１の発明に係る「第１階調数データ」及び「第２階調数データ」の夫々の一例である。本実施形態では、映像信号ＧＤｉ（ｆｎ）及びＧＤｉ（ｆｎ−１）の夫々は、２５６階調を示すデジタル信号であるため、Ｍは２５６である。したがって、ルックアップテーブル４０Ｇは、２５６×２５６＝６５５３６個の行列要素ｄ（ｋ，ｌ）を記憶している。
【００７２】
行列要素ｄ（ｋ，ｌ）は、映像信号ＧＤｉ（ｆｎ）及びＧＤｉ（ｆｎ−１）の夫々の階調数の組み合わせ毎に設定されており、例えば、映像信号ＧＤｉ（ｆｎ）の代わりに出力される補正済み映像信号である映像信号ＧＤ´ｉ（ｆｎ）、或いは、映像信号ＧＤｉ（ｆｎ）が有する階調値に対して施される補正量を示した補正値である。
【００７３】
映像信号ＧＤ´ｉ（ｆｎ）は、第Ｎフレームで映像信号ＧＤｉ（ｆｎ）に対応する画素部が表示すべき緑色光の輝度階調、より具体的には第Ｎフレームにおける当該画素部の理想的な透過率を実現可能なように、液晶に印加される印加電圧に対応した階調数データを含んでいる。したがって、例えば緑色を表示する画素部のうち添字ｉで特定される画素部において、フレーム周期に応じて第（Ｎ−１）フレームにおける透過率を第Ｎフレームの透過率に切り替える場合、第Ｎフレームの透過率より高い透過率に設定されるように、映像信号ＧＤ´ｉ（ｆｎ）に含まれる階調値は、映像信号ＧＤｉ（ｆｎ）に含まれる階調値より大きく設定されている。このように、映像信号ＧＤｉ（ｆｎ）に代わって出力された映像信号ＧＤ´ｉ（ｆｎ）に基づいて第Ｎフレーム画像を表示することによって、動画に生じる動画ボケ等の表示不良を低減できる。
【００７４】
行列要素ｄ（ｋ，ｌ）は、表示されるべき輝度階調で第Ｎフレーム画像が表示されるように、映像信号ＧＤｉ（ｆｎ）を補正する補正値であってもよい。制御部６０は、補正値を示す行列要素ｄ（ｋ，ｌ）を参照することによって、新たに映像信号を生成し、当該生成された映像信号をＤ／Ａコンバータ５０Ｇに供給することも可能である。このように、映像信号ＧＤｉ（ｆｎ）及びＧＤｉ（ｆｎ−１）に基づいて、映像信号ＧＤｉ（ｆｎ）に代わって映像信号ＧＤ´ｉ（ｆｎ）を出力する処理が、本発明の第１及び第３の発明に係る「オーバードライブ処理」の一例である。
【００７５】
このように、液晶装置１によれば、人間の視覚が輝度（Ｙ）の変化に比べて青色及び赤色の色度の変化に鈍感であることを利用して、輝度（Ｙ）に最も寄与する緑色が表示領域１０ａに表示されるべき階調数で、当該緑色に対応する映像信号についてオーバードライブ処理を施し、動画ボケ等の表示不良を低減でき、液晶装置等の電気光学装置によって表示される動画像の画質を高めることが可能である。
【００７６】
一方、図６に示すように、映像信号ＲＤｉ（ｆｎ）、ＧＤｉ（ｆｎ）及びＢＤｉ（ｆｎ）の夫々についてオーバードライブ処理を施し、オーバードライブ処理が施された映像信号ＲＤ´ｉ（ｆｎ）、ＧＤ´ｉ（ｆｎ）及びＢＤ´ｉ（ｆｎ）を出力するためには、フレームメモリ３０Ｇ及びルックアップテーブル４０Ｇだけでなく、赤色及び青色の夫々の映像信号に対応してフレームメモリ３０Ｒ及び３０Ｂ、並びにルックアップテーブル４０Ｒ及び４０Ｂを設ける必要があり、液晶装置１の回路構成が煩雑なものとなる。
【００７７】
しかしながら、液晶装置１によれば、映像信号ＲＤｉ（ｆｎ）、ＧＤｉ（ｆｎ）及びＢＤｉ（ｆｎ）のうち映像信号ＧＤｉ（ｆｎ）のみにオーバードライブ処理を施せばよいことから、映像信号ＲＤｉ（ｆｎ）及びＢＤｉ（ｆｎ）の夫々にオーバードライブ処理を施すためのフレームメモリ及びルックアップテーブルを設ける必要がない。したがって、液晶装置１の回路構成を簡便にでき、液晶装置に要するコストの低減が可能となる。加えて、赤色及び青色に対応する映像信号ＲＤｉ（ｆｎ）及びＢＤｉ（ｆｎ）にオーバードライブ処理を行う回路を設けるためのスペースを低減できるため、液晶装置１を小型化できる利点もある。
【００７８】
（液晶装置の駆動方法）
次に、図７を参照して、上述した液晶装置１に適用される液晶装置用駆動回路によって実行される液晶装置の駆動方法を説明する。図７は、本実施形態に係る液晶装置の駆動方法のフローチャートである。尚、本実施形態に係る液晶装置の駆動方法を説明するに際して、随時図３及び図４に図示した各部を参照する。
【００７９】
図７において、フレームメモリ３０Ｇが映像信号ＧＤｉ（ｆｎ−１）を記憶する（Ｓ１０）。次に、制御部６０の制御下で映像信号ＧＤｉ（ｆｎ）がフレームメモリ３０Ｇに供給されると、映像信号ＧＤｉ（ｆｎ−１）がルックアップテーブル４０Ｇに読み出される（Ｓ２０）。これと同時に、或いは相前後してラインバッファ３１Ｇから映像信号ＧＤｉ（ｆｎ）が、ルックアップテーブル４０Ｇに供給され、制御部６０の制御下で、ルックアップテーブル４０Ｇに記憶されていた行列要素ｄ（ｋ，ｌ）が選定される。これに伴い、映像信号ＧＤ´ｉ（ｆｎ）が選定される（Ｓ３０）。次に、制御部６０の制御下で、ルックアップテーブル４０Ｇから映像信号ＧＤ´ｉ（ｆｎ）がＤ／Ａコンバータ５０に供給され（Ｓ４０）、デジタル信号である映像信号ＧＤ´ｉ（ｆｎ）が、アナログ信号に変換される（Ｓ５０）。ステップＳ１０乃至ステップＳ５０までのステップが、本発明の第５の発明に係る「映像信号処理工程」の一例に相当する。
【００８０】
次に、データ線駆動回路１０１は、デジタル信号である映像信号ＧＤ´ｉ（ｆｎ）をアナログ信号に変換してなる映像信号Ｄｖとしてクロック信号及び水平同期信号ＨＳＹＮＣに応じたタイミングでデータ線６ａに送り出し（Ｓ６０）、走査線３ａに供給される走査信号ＳｃＬｎ１に応じた各画素部の動作によって、第Ｎフレーム画像が表示領域１０ａに表示される。ステップＳ６０が、本発明の第５の発明に係る「駆動工程」の一例に相当する。
【００８１】
次に、表示パネル１００ｐによる画像表示が終了したか否かが判定され（Ｓ７０）、終了した場合にはステップＳ１０乃至ステップ６０からなる一連の工程を終了する。一方、画像表示が終了していない場合には、再びステップ１０に戻り、第（Ｎ＋１）フレーム画像が、第Ｎフレーム画像を表示する工程と同様の工程で表示され、ステップＳ１０乃至ステップＳ７０からなる一連の工程は画像表示が終了するまで実行される。
【００８２】
以上説明した本実施形態に係る液晶装置の駆動方法によれば、上述した液晶装置１が備える各回路部によって、オーバードライブ処理が実行され、高品位の画像表示を行うことが可能である。
【００８３】
＜第２実施形態＞
次に、図８乃至図１１を参照しながら、本発明の第２の発明に係る電気光学装置、本発明の第４の発明に係る電気光学装置用駆動回路、及び本発明の第６の発明に係る電気光学装置の駆動方法の各実施形態を説明する。尚、以下の説明では、上述した液晶装置１、及びその駆動方法を共通する部分に共通の参照符号を付し、詳細な説明を省略する。図８は、本実施形態に係る液晶装置における信号処理部２０の回路構成をルックアップテーブル４０及びフレームメモリ３０と共に示したブロック図である。図９は、赤色及び青色の夫々を表示するための映像信号に対応するルックアップテーブルのデータ構成を示した一覧表である。図１０は、本実施形態に係る液晶装置の駆動方法のフローチャートである。
【００８４】
図８において、本実施形態に係る液晶装置が備える信号処理部２０は、映像信号ＲＤｉ（ｆｎ）、ＧＤｉ（ｆｎ）及びＢＤｉ（ｆｎ）の夫々に対応して３つのラインバッファ３１Ｒ、３１Ｇ及び３１Ｂ、並びに制御部６０を備えている。ルックアップテーブル４０も、ラインバッファと同様に、「第１ルックアップテーブル」の一例である３つのルックアップテーブル４０Ｇ、並びに「第２ルックアップテーブル」の夫々一例であるルックアップテーブル４０Ｒ及び４０Ｂを備えている。フレームメモリ３０も同様に「第１フレームメモリ」の一例であるフレームメモリ３０Ｇ、並びに「第２フレームメモリ」の夫々一例であるフレームメモリ３０Ｒ及び３０Ｂを備えている。
【００８５】
本実施形態に係る液晶装置が、第１実施形態に係る液晶装置１と異なる点は、後に詳細に説明するように、映像信号ＧＤｉ（ｆｎ）を映像信号ＲＤｉ（ｆｎ）及びＢＤｉ（ｆｎ）の夫々とは異なる条件でオーバードライブ処理する点である。即ち、本実施形態では、「異なる条件」とは、後に詳細に説明するように、映像信号ＧＤｉ（ｆｎ）に対応するフレームメモリ及びルックアップテーブルの記憶容量に比べて、映像信号ＲＤｉ（ｆｎ）及びＢＤｉ（ｆｎ）の夫々に対応するフレームメモリ及びルックアップテーブルの記憶容量を小さく設定しておき、これら記憶容量の相違に応じて、各映像信号に施すオーバードライブ処理の精度、より具体的には階調数を相互に異ならせることを意味する。このように、映像信号ＧＤｉ（ｆｎ）を映像信号ＲＤｉ（ｆｎ）及びＢＤｉ（ｆｎ）と異なる精度でオーバードライブ処理する理由は、すでに述べたようにＹＵＶ色空間の輝度（Ｙ）に最も寄与する色要素は緑色であることに基づいている。より具体的には、例えば映像信号ＧＤｉ（ｆｎ）に対するオーバードライブ処理を映像信号ＲＤｉ（ｆｎ）及びＢＤｉ（ｆｎ）より高い精度で処理することによって、動画ボケ等の表示不良の解消に最も効果的であると考えられる緑色を表示する画素部における透過率の切り替え精度を高めることに基づく。
【００８６】
図８において、フレームメモリ３０Ｒは、８ビットのデジタル信号である映像信号ＲＤｉ（ｆｎ−１）に含まれる階調数データ、即ち「第３階調数データ」の一例である８ビットで特定される２５６輝度階調を表示可能なデータのうち４ビット分の階調数データを記憶している。したがって、フレームメモリ３０Ｒは、映像信号ＲＤｉ（ｆｎ−１）に含まれる階調数の精度を落として記憶していることになる。同様に、フレームメモリ３０Ｂは、８ビットのデジタル信号である映像信号ＢＤｉ（ｆｎ−１）に含まれる階調数データ、即ち「第３階調数データ」の一例である８ビットで特定される２５６輝度階調を表示可能なデータのうち４ビット分の階調数データを記憶している。フレームメモリ３０Ｂも、映像信号ＢＤｉ（ｆｎ−１）に含まれる階調数の精度を落として記憶している。一方、フレームメモリ３０Ｇは、第１実施形態に係る液晶装置１と同様に、「第１階調数データ」の一例である８ビットの階調数データを含む映像信号ＧＤｉ（ｆｎ−１）をそのまま記憶している。したがって、フレームメモリ３０Ｒ及び３０Ｂは、フレームメモリ３０Ｇに比べて簡便な回路構成で構成されている。
【００８７】
制御部６０の制御下、映像信号ＲＤｉ（ｆｎ）がラインバッファ３１Ｒからフレームメモリ３０Ｒに供給されると、フレームメモリ３０Ｒは４ビットのデジタル信号として記憶されていた映像信号ＲＤｉ（ｆｎ−１）をルックアップテーブル４０Ｒに供給する。これと同時に、或いは相前後して、ラインバッファ３１Ｒから映像信号ＲＤｉ（ｆｎ）が供給され、８ビットの階調数データを含む映像信号ＲＤｉ（ｆｎ）及び４ビットの階調数データを含む映像信号ＲＤｉ（ｆｎ−１）に基づいて、映像信号ＲＤｉ（ｆｎ）の代わりに映像信号ＲＤ´ｉ（ｆｎ）がルックアップテーブル４０ＲからＤ／Ａコンバータ５０に出力される。映像信号ＢＤ´ｉ（ｆｎ）も映像信号ＲＤｉ（ｆｎ）と同様にしてルックアップテーブル４０ＢからＤ／Ａコンバータ５０に出力される。一方、映像信号ＧＤ´ｉ（ｆｎ）は、第１実施形態に係る液晶装置１において実行された処理と同様の処理によってＤ／Ａコンバータ５０に出力される。
【００８８】
ここで、図９を参照しながら、ルックアップテーブル４０Ｒ及び４０Ｂのデータ構成を説明する。図９に示すように、ルックアップテーブル４０Ｒ及び４０Ｂのデータ構成は、フレームメモリ３０Ｒ及び３０Ｂの夫々から供給される４ビットのデジタル信号である映像信号ＲＤｉ（ｆｎ−１）及びＢＤｉ（ｆｎ−１）のビット数と、ラインバッファ３１Ｒ及び３１Ｂから供給される８ビットのデジタル信号である映像信号ＲＤｉ（ｆｎ）及びＢＤｉ（ｆｎ）のビット数に応じて、ルックアップテーブル４０Ｇに記憶されたデータの容量より小さい容量で記憶されている。より具体的には、赤色を表示するための映像信号を例に挙げれば、図９に示すように、ルックアップテーブル４０Ｒの列を規定する４ビットの映像信号ＲＤｉ（ｆｎ−１）の階調数は、元の８ビットで規定される階調数（２５６輝度階調）より小さい４ビットで規定される１６階調数である。尚、ここでは、図９中におけるＭを２５６としている。ルックアップテーブル４０Ｒの行を規定する８ビットの映像信号ＲＤｉ（ｆｎ）によれば、ルックアップテーブル４０Ｒの行は、２５６行である。したがって、ルックアップテーブル４０Ｒの行列要素であって、オーバードライブ処理が施された映像信号ＲＤ´ｉ（ｆｎ）を出力するために参照され、或いはそのまま映像信号ＲＤ´ｉ（ｆｎ）として出力される行列要素ｄ（ｋ，ｌ）は、２５６×１６＝４０９６個記憶されており、ルックアップテーブル４０Ｇに記憶されている行列要素に比べて少なくなっている。ルックアップテーブル４０Ｂも、ルックアップテーブル４０Ｒと同様にルックアップテーブル４０Ｇに比べて記憶された行列要素は少ない。したがって、ルックアップテーブル４０Ｒ及び４０Ｂの夫々に記憶された行列要素のデータサイズが、ルックアップテーブル４０Ｇに記憶された行列要素のデータサイズに比べて小さい分、ルックアップテーブル全体の回路構成を簡便にできる。加えて、フレームメモリ及びルックアップテーブルを簡便な回路構成にできることによって、液晶装置のサイズを小型化することも可能である。
【００８９】
また、このように赤色及び青色の夫々に対応する映像信号にオーバードライブ処理を施すためのフレームメモリ及びルックアップテーブルのデータ構成を簡略化しても、映像信号ＧＤｉ（ｆｎ）に対するオーバードライブ処理を映像信号ＲＤｉ（ｆｎ）及びＢＤｉ（ｆｎ）より細かい階調数で実行すれば、効果的に動画ボケ等の表示不良を低減できる。
【００９０】
次に、図１０を参照しながら、本実施形態に係る液晶装置に適用される液晶装置用駆動回路によって実行される液晶装置の駆動方法を説明する。
【００９１】
図１０において、フレームメモリ３０Ｇ、３０Ｒ及び３０Ｂの夫々が同時に或いは相前後して映像信号ＧＤｉ（ｆｎ−１）、ＲＤｉ（ｆｎ−１）、及びＢＤｉ（ｆｎ−１）の夫々を記憶する（Ｓ１１０）。
【００９２】
次に、制御部６０の制御下で映像信号ＧＤｉ（ｆｎ）、ＲＤｉ（ｆｎ）、及びＢＤｉ（ｆｎ）の夫々がフレームメモリ３０Ｇ、３０Ｒ及び３０Ｂの夫々に供給されると、映像信号ＧＤｉ（ｆｎ−１）、ＲＤｉ（ｆｎ−１）及びＢＤｉ（ｆｎ−１）の夫々がルックアップテーブル４０Ｇに読み出される（Ｓ１２０）。これと同時に、或いは相前後してラインバッファ３１Ｇ、３１Ｒ及び３１Ｂの夫々から映像信号ＧＤｉ（ｆｎ）、ＲＤｉ（ｆｎ）及びＢＤｉ（ｆｎ）の夫々が、ルックアップテーブル４０Ｇ、４０Ｒ及び４０Ｂの夫々に供給され、制御部６０の制御下で、ルックアップテーブル４０Ｇ、４０Ｒ及び４０Ｂの夫々に記憶されていた映像信号ＧＤ´ｉ（ｆｎ）、ＲＤ´ｉ（ｆｎ）及びＢＤ´ｉ（ｆｎ）が選定される（Ｓ１３０）。このような映像信号ＧＤ´ｉ（ｆｎ）、ＲＤ´ｉ（ｆｎ）及びＢＤ´ｉ（ｆｎ）は、例えばルックアップテーブル４０Ｇ、４０Ｒ及び４０Ｂの夫々が記憶している行列要素である。
【００９３】
次に、制御部６０の制御下で、ルックアップテーブル４０Ｇ、４０Ｒ及び４０Ｂの夫々から映像信号ＧＤ´ｉ（ｆｎ）、ＲＤ´ｉ（ｆｎ）及びＢＤ´ｉ（ｆｎ）の夫々がＤ／Ａコンバータ５０に供給され（Ｓ１４０）、デジタル信号である映像信号ＧＤ´ｉ（ｆｎ）、ＲＤ´ｉ（ｆｎ）及びＢＤ´ｉ（ｆｎ）の夫々が、アナログ信号に変換される（Ｓ１５０）。ステップＳ１１０乃至ステップＳ１５０までが、本発明の第６の発明に係る「映像信号処理工程」の一例に相当する。
【００９４】
次に、データ線駆動回路１０１は、デジタル信号である映像信号ＧＤ´ｉ（ｆｎ）、ＲＤ´ｉ（ｆｎ）及びＢＤ´ｉ（ｆｎ）をアナログ信号に変換してなる映像信号Ｄｖをクロック信号及び水平同期信号ＨＳＹＮＣに応じたタイミングでデータ線６ａに送り出し（Ｓ１６０）、走査線３ａに供給される走査信号ＳｃＬｎ１に応じた各画素部の動作によって、第ｎフレーム画像が表示領域１０ａに表示される。ステップＳ１６０が、本発明の第６の発明に係る「駆動工程」の一例に相当する。
【００９５】
次に、表示パネル１００ｐによる画像表示が終了したか否かが判定され（Ｓ７０）、終了した場合にはステップＳ１１０乃至ステップ１５０からなる一連の工程を終了する。一方、画像表示が終了していない場合には、再びステップＳ１１０に戻り、第（ｎ＋１）フレーム画像が、第ｎフレーム画像を表示する工程と同様の工程で表示され、ステップＳ１１０乃至ステップＳ６０からなる一連の工程は画像表示が終了するまで実行される。
【００９６】
以上説明したように、本実施形態に係る液晶装置によれば、第１実施形態に係る液晶装置と同様に高品位の画像表示を行うことが可能である。加えて、緑色に対応する映像信号をオーバードライブ処理する回路部に比べて、赤色及び青色の夫々に対応する映像信号をオーバードライブ処理する回路部に比べて簡略化できるため、装置に要するコスト低減及び装置サイズの小型化が可能となる。
【００９７】
（変形例）
次に、図１１及び図１２を参照しながら、本実施形態に係る液晶装置の変形例を説明する。図１１は、本例に係る液晶装置における信号処理部２０をルックアップテーブル及びフレームメモリと共に示したブロック図である。図１２は、赤色及び青色の夫々に対応する映像信号にオーバードライブ処理を施すために参照されるルックアップテーブルのデータ構成を示す一覧表である。
【００９８】
本例に係る液晶装置は、上述した本実施形態に係る液晶装置に比べて、ルックアップテーブル４０Ｒ及び４０Ｂの容量が小さくなっている点に特徴を有する。より具体的には、図１１に示すように、映像信号ＧＤｉ（ｆｎ）が８ビットのデジタル信号にあるのに対して、映像信号ＲＤｉ（ｆｎ）及びＢＤｉ（ｆｎ）は６ビットのデジタル信号である。加えて、フレームメモリ３０Ｒ及び３０Ｂの夫々からルックアップテーブル４０Ｒ及び４０Ｂの夫々に供給される映像信号ＲＤｉ（ｆｎ−１）及びＢＤｉ（ｆｎ−１）の夫々も６ビットの階調数データを含むデジタル信号である。したがって、図１２に示すように、ルックアップテーブル４０Ｒ及び４０Ｂの夫々は、これら映像信号ＲＤｉ（ｆｎ）及びＢＤｉ（ｆｎ）、並びにＲＤｉ（ｆｎ−１）及びＢＤｉ（ｆｎ−１）の夫々のビット数に応じて、６４×６４＝４０９６通りの行列要素が記憶されている。制御部６０は、ルックアップテーブル４０Ｒ及び４０Ｂの夫々に記憶された行列要素に基づいて、オーバードライブ処理が施された映像信号ＲＤ´ｉ（ｆｎ）及びＢＤ´ｉ（ｆｎ）をＤ／Ａコンバータ５０に出力する。このように、映像信号ＲＤｉ（ｆｎ）及びＢＤｉ（ｆｎ）の階調数を映像信号ＧＤｉ（ｆｎ）より粗く処理したとしても、表示領域１０ａに表示される画像の画質は、オーバーオーバードライブ処理を施さない場合に比べて格段に向上する。また、ルックアップテーブル４０Ｒ及び４０Ｂの夫々に格納されている補正データのビット数を減らしても同様の効果が得られる。
【００９９】
（電子機器）
次に、第１実施形態又は第２実施形態に係る液晶装置を電子機器に適用する場合について説明する。ここでは、液晶装置１をライトバルブとして用いたプロジェクタについて説明する。図１３は、プロジェクタの構成例を示す平面図である。
【０１００】
図１３に示すように、プロジェクタ１１００内部には、ハロゲンランプ等の白色光源からなるランプユニット１１０２が設けられている。このランプユニット１１０２から射出された投射光は、ライトガイド内に配置された４枚のミラー１１０６および２枚のダイクロイックミラー１１０８によってＲＧＢの３原色に分離され、各原色に対応するライトバルブとしての液晶装置１００Ｒ、１００Ｂおよび１００Ｇに入射される。液晶装置１００Ｒ、１００Ｂおよび１００Ｇの構成は上述した液晶装置と同等であり、それぞれにおいて画像信号処理回路から供給されるＲ、Ｇ、Ｂの原色信号が変調される。これらの液晶装置によって変調された光は、ダイクロイックプリズム１１１２に３方向から入射される。ダイクロイックプリズム１１１２では、ＲおよびＢの光が９０度に屈折する一方、Ｇの光が直進する。これにより各色の画像が合成され、投射レンズ１１１４を介して、スクリーン１１２０等にカラー画像が投写される。
【０１０１】
以上では、本発明の電気光学装置の一具体例として液晶装置を挙げて説明したが、本発明の電気光学装置は、その他にも例えば電子ペーパなどの電気泳動装置や、電子放出素子を用いた表示装置（Field Emission Display及びSurface-Conduction Electron-Emitter Display）等として実現することができる。また、このような本発明の電気光学装置は、先に説明したプロジェクタの他にも、テレビジョン受像機や、ビューファインダ型或いはモニタ直視型のビデオテープレコーダ、カーナビゲーション装置、ページャ、電子手手帳、電卓、ワードプロセッサ、ワークステーション、テレビ電話、ＰＯＳ端末、タッチパネルを備えた装置等の各種の電子機器に適用可能である。
【０１０２】
本発明は、上述した実施形態に限られるものではなく、請求の範囲及び明細書全体から読み取れる発明の要旨或いは思想に反しない範囲で適宜変更可能であり、そのような変更を伴う電気光学装置、電気光学装置用駆動回路、及び電気光学装置の駆動方法、並びにそのような電気光学装置を具備してなる電子機器もまた本発明の技術的範囲に含まれるものである。
【図面の簡単な説明】
【０１０３】
【図１】従来の液晶装置における画素の透過率及び液晶に印加される印加電圧の関係を示した概念図である。
【図２】第１実施形態に係る液晶装置における画素の透過率及び液晶に印加される印加電圧の関係を示した概念図である。
【図３】第１実施形態に係る液晶装置の基本的な電気回路構成を示したブロック図である。
【図４】信号処理部の詳細な構成な回路構成をフレームメモリ、ルックアップテーブル及びＤ／Ａコンバータ５０と共に示したブロック図である。
【図５】第１実施形態に係る液晶装置が備えるルックアップテーブルに記憶された階調数データを示した一覧表である。
【図６】図４の比較例におけるブロック図である。
【図７】第１実施形態に係る液晶装置の駆動方法のフローチャートである。
【図８】第２実施形態に係る液晶装置における信号処理部の回路構成をルックアップテーブル、フレームメモリ及びＤ／Ａコンバータと共に示したブロック図である。
【図９】赤色及び青色の夫々を表示するための映像信号に対応するルックアップテーブルのデータ構成を示した一覧表である。
【図１０】第２実施形態に係る液晶装置の駆動方法のフローチャートである。
【図１１】第２実施形態に係る液晶装置の変形例の要部の回路構成を示すブロック図である。
【図１２】図１１に示した変形例において、赤色及び青色の夫々に対応する映像信号にオーバードライブ処理を施すために参照されるルックアップテーブルのデータ構成を示す一覧表である。
【図１３】本発明に係る電子機器の一実施形態に係る液晶プロジェクタの構成を表す断面図である。
【符号の説明】
【０１０４】
１・・・液晶装置、２０・・・信号処理部、３０・・・フレームメモリ、４０・・・ルックアップテーブル、５０・・・Ｄ／Ａコンバータ、６０・・・制御部、１０１・・・データ線駆動回路、１０４・・・走査線駆動回路
【図１】
2007333770.tif 000006
【図２】
2007333770.tif 000007
【図３】
2007333770.tif 000008
【図４】
2007333770.tif 000009
【図５】
2007333770.tif 000010
【図６】
2007333770.tif 000011
【図７】
2007333770.tif 000012
【図８】
2007333770.tif 000013
【図９】
2007333770.tif 000014
【図１０】
2007333770.tif 000015
【図１１】
2007333770.tif 000016
【図１２】
2007333770.tif 000017
【図１３】
2007333770.tif 000018